(57)【特許請求の範囲】
【請求項１】
自動車に搭載される、当該自動車の状態を表示する車載表示システムであって、
ディスプレイと、
前記自動車の状態を表す情報を表す画像を生成し前記ディスプレイに表示する状態表示アプリケーションのソフトウエアを格納した記憶装置と、
前記記憶装置から前記状態表示アプリケーションのソフトウエアを読み出して、当該読み出したソフトウエアにより状態表示アプリケーションを実行するアプリケーション実行手段と、
前記記憶装置に格納されている前記状態表示アプリケーションのソフトウエアを更新するソフトウエア更新手段と、
前記ソフトウエア更新手段による前記状態表示アプリケーションのソフトウエアの更新後、前記アプリケーション実行手段が更新前のソフトウエアによる状態表示アプリケーションを実行中に、前記自動車が停車しているときに、前記アプリケーション実行手段で実行する状態表示アプリケーションを、更新前のソフトウエアによる状態表示アプリケーションから、更新後のソフトウエアによる状態表示アプリケーションに切り替える切替処理を開始する実行アプリケーション切替手段とを有し、
前記実行アプリケーション切替手段は、
前記切替処理において、
前記アプリケーション実行手段で実行中の更新前のソフトウエアによる状態表示アプリケーションが現時点で前記ディスプレイに表示している画像の静止画表示に、前記ディスプレイの表示を切り替え、
前記アプリケーション実行手段に更新前のソフトウエアによる状態表示アプリケーションの実行を終了させ、
前記アプリケーション実行手段に更新後のソフトウエアによる状態表示アプリケーションの実行を開始させ、
前記ディスプレイの表示を更新後のソフトウエアによる状態表示アプリケーションが生成する画像の表示に切り替えることを特徴とする車載表示システム。
【請求項２】
自動車に搭載される、当該自動車の状態を表示する車載表示システムであって、
ディスプレイと、
前記自動車の状態を表す情報を表す画像を生成し前記ディスプレイに表示する状態表示アプリケーションのソフトウエアと、前記自動車の状態を表す情報を表す画像を生成し前記ディスプレイに表示する中継用状態表示アプリケーションのソフトウエアとを格納した記憶装置と、
前記記憶装置から前記状態表示アプリケーションのソフトウエアを読み出して、当該読み出したソフトウエアにより状態表示アプリケーションを実行するアプリケーション実行手段と、
前記記憶装置に格納されている前記状態表示アプリケーションのソフトウエアを更新するソフトウエア更新手段と、
前記ソフトウエア更新手段による前記状態表示アプリケーションのソフトウエアの更新後に、前記アプリケーション実行手段が更新前のソフトウエアによる状態表示アプリケーションを実行中に、前記アプリケーション実行手段で実行する状態表示アプリケーションを、更新前のソフトウエアによる状態表示アプリケーションから、更新後のソフトウエアによる状態表示アプリケーションに切り替える切替処理を開始する実行アプリケーション切替手段とを有し、
前記実行アプリケーション切替手段は、
前記切替処理において、
前記アプリケーション実行手段に前記中継用状態表示アプリケーションの実行を開始させ、
前記ディスプレイの表示を、前記アプリケーション実行手段で実行中の更新前のソフトウエアによる状態表示アプリケーションが生成した画像から、前記中継用状態表示アプリケーションが生成した画像の表示に切り替え、
前記アプリケーション実行手段に更新前のソフトウエアによる状態表示アプリケーションの実行を終了させ、
前記アプリケーション実行手段に更新後のソフトウエアによる状態表示アプリケーションの実行を開始させ、
前記ディスプレイの表示を更新後のソフトウエアによる状態表示アプリケーションが生成する画像の表示に切り替えることを特徴とする車載表示システム。
【請求項３】
請求項１または２記載の車載表示システムであって、
前記ディスプレイは前記自動車のメータクラスタ内に配置されており、
前記自動車の状態を表す情報を表す画像は、当該自動車の車速を少なくとも提示する画像であることを特徴とする車載表示システム。
【請求項４】
自動車に搭載されたコンピュータによって読み取られ実行されるコンピュータプログラムであって、
前記コンピュータは、
ディスプレイと、
前記自動車の状態を表す情報を表す画像を生成し前記ディスプレイに表示する状態表示アプリケーションのソフトウエアを格納した記憶装置と、
前記記憶装置から前記状態表示アプリケーションのソフトウエアを読み出して、当該読み出したソフトウエアにより状態表示アプリケーションを実行するアプリケーション実行手段と、
前記記憶装置に格納されている前記状態表示アプリケーションのソフトウエアを更新するソフトウエア更新手段とを備え、
前記コンピュータプログラムは、前記ソフトウエア更新手段による前記状態表示アプリケーションのソフトウエアの更新後、前記アプリケーション実行手段が更新前のソフトウエアによる状態表示アプリケーションを実行中に、前記自動車が停車しているときに、前記アプリケーション実行手段で実行する状態表示アプリケーションを、更新前のソフトウエアによる状態表示アプリケーションから、更新後のソフトウエアによる状態表示アプリケーションに切り替える切替処理の実行を開始し、
前記切替処理において、前記コンピュータに、
前記アプリケーション実行手段で実行中の更新前のソフトウエアによる状態表示アプリケーションが現時点で前記ディスプレイに表示している画像の静止画表示に、前記ディスプレイの表示を切り替えるステップと、
前記アプリケーション実行手段に更新前のソフトウエアによる状態表示アプリケーションの実行を終了させるステップと、
前記アプリケーション実行手段に更新後のソフトウエアによる状態表示アプリケーションの実行を開始させるステップと、
前記ディスプレイの表示を更新後のソフトウエアによる状態表示アプリケーションが生成する画像の表示に切り替えるステップとを実行させることを特徴とするコンピュータプログラム。
【請求項５】
自動車に搭載されたコンピュータによって読み取られ実行されるコンピュータプログラムであって、
前記コンピュータは、
ディスプレイと、
前記自動車の状態を表す情報を表す画像を生成し前記ディスプレイに表示する状態表示アプリケーションのソフトウエアと、前記自動車の状態を表す情報を表す画像を生成し前
記ディスプレイに表示する中継用状態表示アプリケーションのソフトウエアとを格納した記憶装置と、
前記記憶装置から前記状態表示アプリケーションのソフトウエアを読み出して、当該読み出したソフトウエアにより状態表示アプリケーションを実行するアプリケーション実行手段と、
前記記憶装置に格納されている前記状態表示アプリケーションのソフトウエアを更新するソフトウエア更新手段とを備え、
前記コンピュータプログラムは、前記ソフトウエア更新手段による前記状態表示アプリケーションのソフトウエアの更新後に、前記アプリケーション実行手段が更新前のソフトウエアによる状態表示アプリケーションを実行中に、前記アプリケーション実行手段で実行する状態表示アプリケーションを、更新前のソフトウエアによる状態表示アプリケーションから、更新後のソフトウエアによる状態表示アプリケーションに切り替える切替処理を開始し、
前記切替処理において、前記コンピュータに、
前記アプリケーション実行手段に前記中継用状態表示アプリケーションの実行を開始させるステップと、
前記ディスプレイの表示を、前記アプリケーション実行手段で実行中の更新前のソフトウエアによる状態表示アプリケーションが生成した画像から、前記中継用状態表示アプリケーションが生成した画像の表示に切り替えるステップと、
前記アプリケーション実行手段に更新前のソフトウエアによる状態表示アプリケーションの実行を終了させるステップと、
前記アプリケーション実行手段に更新後のソフトウエアによる状態表示アプリケーションの実行を開始させるステップと、
前記ディスプレイの表示を更新後のソフトウエアによる状態表示アプリケーションが生成する画像の表示に切り替えるステップとを実行させることを特徴とするコンピュータプログラム。
【請求項６】
請求項４または５記載のコンピュータプログラムであって、
前記ディスプレイは前記自動車のメータクラスタ内に配置されており、
前記自動車の状態を表す情報を表す画像は、当該自動車の車速を少なくとも提示する画像であることを特徴とするコンピュータプログラム。
【発明の詳細な説明】
【技術分野】
【０００１】
本発明は、自動車の状態情報を表示する車載表示システムのソフトウエアを更新する技術に関するものである。
【背景技術】
【０００２】
自動車の状態情報を表示する車載表示システムのソフトウエアを更新する技術としては、速度計や燃料系を表す画像を表示する車載表示システムに、専用の書き換え装置を接続し、書き換え装置によって車載表示システムの、上記画像を表示するプログラムやデータを更新する技術が知られている（特許文献１）。
【先行技術文献】
【特許文献】
【０００３】
【特許文献１】特開２０１３-１０７４９７号公報
【発明の概要】
【発明が解決しようとする課題】
【０００４】
車載表示システムのソフトウエアの更新を、更新用データを車載表示システムに移動通信により配信すると共に、車載表示システムにおいて自律的に車載表示システムのソフトウエアを更新することにより行うことが考えられる。
【０００５】
そして、この場合に、ユーザが自動車を稼働している期間中に、ソフトウエアの更新と、実行するソフトウエアの更新後のソフトウエアへの切り替えを行うこととなるが、自動車の稼働中に実行するソフトウエアの切り替えを行うと、当該ソフトウエアの切り替えの際に、車載表示システムによる状態情報の表示が中断してしまうこととなる。
【０００６】
そして、このような情報表示の中断が自動車の走行中に行われた場合には、当該中断の期間中、走行中であるにもかかわらず、ユーザが自動車の状態を把握できなくなってしまうという問題が生じる。
【０００７】
そこで、本発明は、車載表示システムで実行するソフトウエアの更新を、自動車の稼働中に、自動車の状態情報の表示の中断を抑制した形態で行うことを課題とする。
【課題を解決するための手段】
【０００８】
前記課題達成のために、本発明は、自動車に搭載される、当該自動車の状態を表示する車載表示システムに、ディスプレイと、前記自動車の状態を表す情報を表す画像を生成し前記ディスプレイに表示する状態表示アプリケーションのソフトウエアを格納した記憶装置と、前記記憶装置から前記状態表示アプリケーションのソフトウエアを読み出して、当該読み出したソフトウエアにより状態表示アプリケーションを実行するアプリケーション実行手段と、前記記憶装置に格納されている前記状態表示アプリケーションのソフトウエアを更新するソフトウエア更新手段と、前記ソフトウエア更新手段による前記状態表示アプリケーションのソフトウエアの更新後、前記アプリケーション実行手段が更新前のソフトウエアによる状態表示アプリケーションを実行中に、前記自動車が停車しているときに、前記アプリケーション実行手段で実行する状態表示アプリケーションを、更新前のソフトウエアによる状態表示アプリケーションから、更新後のソフトウエアによる状態表示アプリケーションに切り替える切替処理を開始する実行アプリケーション切替手段とを備えたものである。ここで、前記実行アプリケーション切替手段は、前記切替処理において、前記アプリケーション実行手段で実行中の更新前のソフトウエアによる状態表示アプリケーションが現時点で前記ディスプレイに表示している画像の静止画表示に、前記ディスプレイの表示を切り替え、前記アプリケーション実行手段に更新前のソフトウエアによる状態表示アプリケーションの実行を終了させ、前記アプリケーション実行手段に更新後のソフトウエアによる状態表示アプリケーションの実行を開始させ、前記ディスプレイの表示を更新後のソフトウエアによる状態表示アプリケーションが生成する画像の表示に切り替える。
【０００９】
このような車載表示システムによれば、更新前のソフトウエアによる状態表示アプリケーションから、更新後のソフトウエアによる状態表示アプリケーションに実行する状態表示アプリケーションへの切替処理中は、更新前のソフトウエアによる状態表示アプリケーションが直前に生成、表示した自動車の状態を表す情報を表す画像が表示される。ここで、このような実行する状態表示アプリケーションの切替は、自動車の停車中にのみ行われ、自動車の停車中は、およそ車速等の自動車の状態が変化しないことが期待できるので、切替処理中も自動車の状態を擬似的に表示できると共に、自動車の状態情報の表示が完全に行われなくなってしまうことを抑止できる。
【００１０】
また、前記課題達成のために、本発明は、自動車に搭載される、当該自動車の状態を表示する車載表示システムに、ディスプレイと、前記自動車の状態を表す情報を表す画像を生成し前記ディスプレイに表示する状態表示アプリケーションのソフトウエアと、前記自動車の状態を表す情報を表す画像を生成し前記ディスプレイに表示する中継用状態表示アプリケーションのソフトウエアとを格納した記憶装置と、前記記憶装置から前記状態表示アプリケーションのソフトウエアを読み出して、当該読み出したソフトウエアにより状態表示アプリケーションを実行するアプリケーション実行手段と、前記記憶装置に格納されている前記状態表示アプリケーションのソフトウエアを更新するソフトウエア更新手段と、前記ソフトウエア更新手段による前記状態表示アプリケーションのソフトウエアの更新後に、前記アプリケーション実行手段が更新前のソフトウエアによる状態表示アプリケーションを実行中に、前記アプリケーション実行手段で実行する状態表示アプリケーションを、更新前のソフトウエアによる状態表示アプリケーションから、更新後のソフトウエアによる状態表示アプリケーションに切り替える切替処理を開始する実行アプリケーション切替手段とを備えたものだる。ここで、前記実行アプリケーション切替手段は、前記切替処理において、前記アプリケーション実行手段に前記中継用状態表示アプリケーションの実行を開始させ、前記ディスプレイの表示を、前記アプリケーション実行手段で実行中の更新前のソフトウエアによる状態表示アプリケーションが生成した画像から、前記中継用状態表示アプリケーションが生成した画像の表示に切り替え、前記アプリケーション実行手段に更新前のソフトウエアによる状態表示アプリケーションの実行を終了させ、前記アプリケーション実行手段に更新後のソフトウエアによる状態表示アプリケーションの実行を開始させ、前記ディスプレイの表示を更新後のソフトウエアによる状態表示アプリケーションが生成する画像の表示に切り替える。
【００１１】
このような車載表示システムによれば、更新前のソフトウエアによる状態表示アプリケーションから、更新後のソフトウエアによる状態表示アプリケーションに実行する状態表示アプリケーションの切替処理中は、中継用状態表示アプリケーションによって生成した自動車の状態を表す情報を表す画像が表示される。よって、自動車の状態情報の表示の中断無く、当該実行する状態表示アプリケーションの切替を行うことができる。また、自動車の状態情報の表示の中断無く、実行する状態表示アプリケーションの切替を行うことができるので、自動車が走行中の期間中にも、支障なく、当該切替を行うことができるようになる。
【００１２】
ここで、以上のような車載表示システムにおいて、前記ディスプレイは前記自動車のメータクラスタ内に配置されたものであってよく、前記自動車の状態を表す情報を表す画像は、当該自動車の車速を少なくとも提示する画像であってよい。
【発明の効果】
【００１３】
以上のように、本発明によれば、車載表示システムで実行するソフトウエアの更新を、自動車の稼働中に、自動車の状態情報の表示の中断を抑制した形態で行うことができる。
【図面の簡単な説明】
【００１４】
【図１】本発明の第１実施形態に係る車載表示システムの構成を示すブロック図である。
【図２】本発明の第１実施形態に係る車載表示システムの表示例を示す図である。
【図３】本発明の第１実施形態に係るアプリケーション切替処理を示すフローチャートである。
【図４】本発明の第１実施形態に係るアプリケーション切替処理の処理例を示す図である。
【図５】本発明の第２実施形態に係るアプリケーション切替処理を示すフローチャートである。
【図６】本発明の第２実施形態に係るアプリケーション切替処理の処理例を示す図である。
【発明を実施するための形態】
【００１５】
以下、本発明の実施形態について説明する。
まず、第１の実施形態について説明する。
図１に、本第１実施形態に係る車載表示システムの構成を示す。
図示するように、本実施形態に係る車載表示システムは、バス１で接続されたＣＰＵ２とＤＭＡＣ３（ＤＭＡコントローラ３）とメモリコントローラ４グラフィックコントローラ５とＩ／Ｏコントローラ６とを有している。
【００１６】
また、車載表示システムは、メモリコントローラ４によってリード/ライトやバス１との間の入出力が制御されるＲＡＭ７と、ＲＯＭ８を備えており、ＣＰＵ２やＤＭＡＣ３は、メモリコントローラ４を介して、ＲＡＭ７やＲＯＭ８にアクセスすることができる。ここで、ＲＡＭ７、ＲＯＭ８は一次記憶装置である。また、ＲＯＭ８には、車載表示システムの起動時に最初に実行されるプログラムであるＩＰＬ等が格納されている。
【００１７】
また、車載表示システムは、グラフィックコントローラ５による表示出力が行われるディスプレイ９を備えており、ＣＰＵ２は、グラフィックコントローラ５を介して、ディスプレイ９の表示を制御することができる。ここで、ディスプレイ９は、たとえば液晶表示装置であり、ディスプレイ９は図２に示すように自動車のメータクラスタパネルに配置されている。
【００１８】
また、車載表示システムは、Ｉ／Ｏコントローラ６に接続したフラッシュメモリ１０、移動通信を行う移動通信装置１１、車載バスを介して自動車の各種制御装置や各種計測装置と通信を行う車載バスインタフェース１２を備えており、ＣＰＵ２やＤＭＡＣ３は、Ｉ／Ｏコントローラ６を介して、Ｉ／Ｏコントローラ６に接続した各装置との間の入出力を行うことができる。
【００１９】
ここで、フラッシュメモリ１０は二次記憶装置であり、オペレーティングシステム、状態表示アプリケーション、状態表示アプリケーションの更新を行うアップデートアプリケーション等のソフトウエアが格納されている。そして、オペレーティングシステムは車載表示システムが起動するとＩＰＬによって、ＲＡＭ７にロードされ、その実行が開始される。また、状態表示アプリケーションとアップデートアプリケーションは、オペレーティングシステムが稼働すると、自動的にオペレーティングシステムによって、ＲＡＭ７にロードされ、その実行が開始される。
【００２０】
ここで、状態表示アプリケーションは、ディスプレイ９の表示を制御するアプリケーションであり、車載バスインタフェース１２を介して取得した車速やエンジン回転速度や残燃料量や水温などの自動車の各種状態を表す画像を出力画像としてグラフィックコントローラ５を介してディスプレイ９に表示する。ここで、出力画像における自動車の各種状態の表示は、たとえば、図２に示すように、スピードメータやタコメータや燃料計や水温計を模擬した図形、文字を表した画像を表示すること等により行う。
【００２１】
次に、アップデートアプリケーションは、所定の契機で、状態表示アプリケーションの更新データを配信するサーバに移動通信装置１１を介してアクセスし、状態表示アプリケーションの更新データをダウンロードし、ダウンロードした更新データを用いて、フラッシュメモリ１０に格納されている状態表示アプリケーションのソフトウエアを更新する更新処理を行う。
【００２２】
また、アップデートアプリケーションは、フラッシュメモリ１０に格納されている状態表示アプリケーションのソフトウエアを更新したならば、アプリケーション切替処理を実行し、現在実行中の更新前の状態表示アプリケーションを終了し、フラッシュメモリ１０に格納されている更新後のソフトウエアによる状態表示アプリケーションの実行を開始する。
【００２３】
図３に、このアプリケーション切替処理の手順を示す。
図示するように、アップデートアプリケーションは、アプリケーション切替処理において、自動車が停車状態であるかどうかを調べ（ステップ３０２）、停車状態でなければ停車状態となるのを待つ。ここで、ステップ３０２では、車載バスインタフェース１２を介して、自動車の車速、サイドブレーキの制動状態、ギヤのシフト状態を取得し、サイドブレーキが制動中である状態と、ギヤのシフト位置がパーキングである状態とのうちの少なくとも一方の状態にあり、かつ、車速が０である場合に、自動車が停車状態であると識別する。
【００２４】
そして、自動車が停車状態であれば（ステップ３０２）、現在のディスプレイ９のキャプチャ画像を取得する（ステップ３０４）。すなわち、現在実行中である更新前の状態表示アプリケーションが現在ディスプレイに表示している画像をキャプチャ画像としてグラフィックコントローラ５から取得する。
【００２５】
そして、グラフィックコントローラ５に、ディスプレイ９の表示を、現在実行中である更新前の状態表示アプリケーションの出力画像から、キャプチャ画像の静止画表示に切り替える（ステップ３０６）。
【００２６】
そして、オペレーティングシステムを介して現在実行中である更新前の状態表示アプリケーションの実行を終了すると共に（ステップ３０８）、オペレーティングシステムを介してフラッシュメモリ１０にソフトウエアが格納されている更新後の状態表示アプリケーションを起動する（ステップ３１０）。ここで、更新後の状態表示アプリケーションは、オペレーティングシステムによって、フラッシュメモリ１０からＲＡＭ７にロードされて、その実行が開始される。
【００２７】
そして、更新後の状態表示アプリケーションの起動が完了したならば（ステップ３１２）、グラフィックコントローラ５に、ディスプレイ９の表示を、キャプチャ画像の表示から、現在実行中である更新後の状態表示アプリケーションの出力画像に切り替え（ステップ３１４）、アプリケーション切替処理を終了する。
【００２８】
以上、アップデートアプリケーションが行う、フラッシュメモリ１０の状態表示アプリケーションのソフトウエアの更新後に行うアプリケーション切替処理について説明した。
次に、このようなアプリケーション切替処理の処理例を図４に示す。
図示するように、自動車が走行中であり、実行中の更新前の状態表示アプリケーションの出力画像４０１が表示されている状態で、アプリケーション切替処理が開始されると、アプリケーション切替処理は、自動車の停車を待ち、自動車が停車すると、実行中の更新前の状態表示アプリケーションがディスプレイ９に表示している出力画像をキャプチャした画像をキャプチャ画像４０２とし（４１１）、ディスプレイ９の表示をキャプチャ画像４０２の表示に切り替える（４１２）。
【００２９】
そして、次に、アプリケーション切替処理は、更新前の状態表示アプリケーションの終了（４１３）と、更新後の状態表示アプリケーションの起動（４１４）とを行い、更新後の状態表示アプリケーションの起動が完了したならば、ディスプレイ９の表示を実行中の更新後の状態表示アプリケーションの出力画像４０３に切り替え（４１５）、以降、更新後の状態表示アプリケーションの出力画像４０３が表示されるようにする。
【００３０】
このように第１実施形態によれば、実行する状態表示アプリケーションを更新前の状態表示アプリケーションから更新後の状態表示アプリケーションに切り替える際に、更新前の状態表示アプリケーションの終了直前から更新後の状態表示アプリケーションの起動完了までの間、更新前の状態表示アプリケーションが直前に生成、表示した出力画像４０２が表示される。ここで、このような実行する状態表示アプリケーションの切替は、自動車の停車中にのみ行われ、自動車の停車中は、およそ車速等の自動車の状態が変化しないことが期待できるので、切替処理中も自動車の状態を擬似的に表示できると共に、自動車の状態情報の表示が完全に行われなくなってしまうことを抑止できる。
【００３１】
以上、本発明の第１実施形態について説明した。
以下、本発明の第２実施形態について説明する。
本第２実施形態は、フラッシュメモリ１０に中継用状態表示アプリケーションのソフトウエアが格納されている点と、アプリケーション切替処理の内容のみが上述した第１実施形態と異なる。
【００３２】
ここで、中継用状態表示アプリケーションは、状態表示アプリケーションと同様に、自動車の各種状態を表す画像を出力画像としてグラフィックコントローラ５に出力し、ディスプレイ９に表示するアプリケーションである。
【００３３】
ここで、中継用状態表示アプリケーションは、状態表示アプリケーションの更新の時点において、更新前の状態表示アプリケーションと同じデザインの出力画像を生成するように、状態表示アプリケーションの更新時に併せて更新されるものであることが望ましい。
【００３４】
以下、本第２実施形態に係るアプリケーション切替処理について説明する。
図５に、本第２実施形態に係るアプリケーション切替処理の手順を示す。
図示するように、アップデートアプリケーションは、アプリケーション切替処理において、オペレーティングシステムを介してフラッシュメモリ１０にソフトウエアが格納されている中継用状態表示アプリケーションを起動する（ステップ５０２）。
【００３５】
そして、中継用状態表示アプリケーションの起動が完了したならば（ステップ５０４）、グラフィックコントローラ５に、ディスプレイ９の表示を、現在実行中である更新前の状態表示アプリケーションの出力画像から、中継用状態表示アプリケーションの出力画像に切り替えさせる（ステップ５０６）。
【００３６】
そして、オペレーティングシステムを介して、現在実行中である更新前の状態表示アプリケーションの実行を終了すると共に（ステップ５０８）、オペレーティングシステムを介してフラッシュメモリ１０にソフトウエアが格納されている更新後の状態表示アプリケーションを起動する（ステップ５１０）。
【００３７】
そして、更新後の状態表示アプリケーションの起動が完了したならば（ステップ５１２）、グラフィックコントローラ５に、ディスプレイ９の表示を、中継用状態表示アプリケーションの出力画像の表示から、現在実行中である更新後の状態表示アプリケーションの出力画像に切り替えさせる（ステップ５１４）。
【００３８】
そして、オペレーティングシステムを介して、中継用状態表示アプリケーション実行を終了し（ステップ５１６）、アプリケーション切替処理を終了する。
以上、本第２実施形態において、アップデートアプリケーションが、フラッシュメモリ１０の状態表示アプリケーションのソフトウエアの更新後に行うアプリケーション切替処理について説明した。
【００３９】
次に、このような本第２実施形態に係るアプリケーション切替処理の処理例を図６に示す。
図示するように、実行中の更新前の状態表示アプリケーションの出力画像６０１が表示されている状態で、アプリケーション切替処理が開始されると、アプリケーション切替処理は、中継用状態表示アプリケーションを起動する（６１１）。
【００４０】
そして、中継用状態表示アプリケーションの起動が完了したならば、アプリケーション切替処理は、ディスプレイ９の表示を中継用状態表示アプリケーションの出力画像６０２に切り替える（６１２）。
【００４１】
なお、図６は、中継用状態表示アプリケーションとして、更新前の状態表示アプリケーションと同じデザインの出力画像を生成するアプリケーションを用いた場合について示している。
【００４２】
そして、次に、アプリケーション切替処理は、更新前の状態表示アプリケーションの終了（６１３）と、更新後の状態表示アプリケーションの起動（６１４）とを行い、更新後の状態表示アプリケーションの起動が完了すると、アプリケーション切替処理は、ディスプレイ９の表示を、実行中の更新後の状態表示アプリケーションの出力画像６０３に切り替え（６１５）、以降、更新後の状態表示アプリケーションの出力画像６０３が表示されるようにする。また、アプリケーション切替処理は、ディスプレイ９の表示の切り替えを行ったならば、中継用状態表示アプリケーションを終了する（６１６）。
【００４３】
なお、更新前の状態表示アプリケーションと更新後の状態表示アプリケーションは、オペレーティングシステムによって同じアプリケーションとして管理されるアプリケーションであるので、これを同時に実行することはできない。
【００４４】
このように、本第２実施形態によれば、実行する状態表示アプリケーションを更新前の状態表示アプリケーションから更新後の状態表示アプリケーションに切り替える際に、更新前の状態表示アプリケーションの終了直前から更新後の状態表示アプリケーションの起動完了までの間、中継用状態表示アプリケーションによって生成した出力画像６０３が表示される。よって、自動車の状態情報の表示の中断無く、当該実行する状態表示アプリケーションの切替を行うことができる。また、自動車の状態情報の表示の中断無く、実行する状態表示アプリケーションの切替を行うことができるので、自動車が走行中の期間中にも、支障なく、当該切替を行うことができるようになる。
【符号の説明】
【００４５】
１…バス、２…ＣＰＵ、３…ＤＭＡＣ、４…メモリコントローラ、５…グラフィックコントローラ、６…Ｉ／Ｏコントローラ、７…ＲＡＭ、８…ＲＯＭ、９…ディスプレイ、１０…フラッシュメモリ、１１…移動通信装置、１２…車載バスインタフェース。
【図１】
0006637376.tif 000002
【図２】
0006637376.tif 000003
【図３】
0006637376.tif 000004
【図４】
0006637376.tif 000005
【図５】
0006637376.tif 000006
【図６】
0006637376.tif 000007